(57)【要約】【課題】  本発明の課題は、簡単容易に、作業能率が向上する二次元コード印刷の校正を行う方法、および、装置を提供することである。【解決手段】  二次元コードに埋め込まれたテキストデータを含むメタデータと二次元コード画像識別情報を含んだ二次元コードデータを記録する二次元コードデータファイルと、二次元コード画像の座標データを含んだ割付データを記録する割付ファイルを利用して、二次元コードに埋め込まれたテキストデータを含めたメタデータを作成するメタデータ作成手段と、二次元コード画像データを含んだ割付データにメタデータを合成して新たな割付データを作成する割付データ合成手段と、を備えることを特徴とする二次元コード校正装置である。【選択図】図１
2006350598.tif 000002
【特許請求の範囲】
【請求項１】
二次元コードに埋め込まれたテキストデータで構成されるメタデータと二次元コード画像識別情報を含んだ二次元コードデータを記録する二次元コードデータファイルと、二次元コード画像の座標データと二次元コード画像識別情報を含んだ割付データを記録する割付ファイルとを記憶する記憶手段と、
二次元コード画像を撮像して、二次元コード画像データを生成する二次元コード画像撮像手段と、
二次元コード画像データを復号して、二次元コードに埋め込まれたテキストデータを取得する二次元コード復号手段と、
前記取得されたテキストデータを含めたメタデータを作成するメタデータ作成手段と、
前記作成されたメタデータと二次元コード画像識別情報を含めた二次元コードデータを作成する二次元コードデータ作成手段と、
二次元コード画像データと二次元コード画像の割付座標データと二次元コード画像識別情報を含んだ割付データを作成する割付データ作成手段と、
割付データから、二次元コード画像の座標データを、取得する割付情報取得手段と、
二次元コードデータからメタデータを取得するメタデータ取得手段と、
メタデータに座標データを設定して、メタデータ割付データを作成するメタデータ割付手段と
割付データとメタデータ割付データを合成して新たな割付データを作成する割付データ合成手段と、
を備えることを特徴とする二次元コード校正装置。
【請求項２】
二次元コードデータは、ＸＭＬで記述されていることを特徴とする請求項１に記載の二次元コード校正システム。
【請求項３】
二次元コードに埋め込まれたテキストデータを含むメタデータと二次元コード画像識別情報を含んだ二次元コードデータを記録する二次元コードデータファイルと、二次元コード画像の座標データを含んだ割付データを記録する割付ファイルとを備えた二次元コード校正方法であって、
二次元コード画像を撮像して、二次元コード画像データを生成する二次元コード画像撮像ステップと、
二次元コード画像データを復号して、二次元コードに埋め込まれたテキストデータを取得する二次元コード復号ステップと、
前記取得されたテキストデータを含めたメタデータを作成するメタデータ作成ステップと、
前記作成されたメタデータと二次元コード画像識別情報を含めた二次元コードデータを作成する二次元コードデータ作成ステップと、
二次元コード画像データと二次元コード画像の割付座標データと二次元コード画像識別情報を含んだ割付データを作成する割付データ作成ステップと、
割付データから、二次元コード画像の座標データを、取得する割付情報取得ステップと、
二次元コードデータからメタデータを取得するメタデータ取得ステップと、
メタデータに座標データを設定して、メタデータ割付データを作成するメタデータ割付ステップと
割付データとメタデータ割付データを合成して新たな割付データを作成する割付データ合成ステップと、
を含んだ手順でなされることを特徴とする二次元コード校正方法。
【請求項４】
二次元コードデータは、ＸＭＬで記述されていることを特徴とする請求項３に記載の二次元コード校正方法。
【請求項５】
コンピュータに組込むことによって、コンピュータを請求項１、または、請求項２に記載の二次元コード検査表作成装置として動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、二次元コード印刷を校正する方法、装置に関するものである。
【背景技術】
【０００２】
近年、ＱＲコード（登録商標）に代表される二次元コードの印刷物が存在する。多量の情報を正確に機械に読み取らせる特徴を持った二次元コードの印刷物では、二次元コードの校正が行われている。
【０００３】
たとえば、従来技術１には、二次元コードをサーマルプリンタにて印刷して、二次元コード読取装置にて、印刷結果の検証を行う技術が提案されている。（従来技術１）
【特許文献１】特開２００４−１６０９８１号公報（７−９頁、図１〜３）
【発明の開示】
【発明が解決しようとする課題】
【０００４】
ところが、従来技術１では、通常の印刷校正工程の中に、サーマルプリンタにて二次元コードを印刷する工程を追加しているために、通常の校正作業工程とは異なる煩雑さが生じるという欠点があった。また、サーマルプリンタによる二次元コード印刷工程を追加することで、校正作業量が増加するという問題があった。更に、通常の印刷校正工程とは異なる作業形態をとるために、校正作業の能率が低下するという望ましい状態ではなかった。
【０００５】
本発明は、このような従来技術を考慮してなされたものであって、本発明の課題は、簡単容易であって、作業能率が向上する二次元コード印刷の校正を行う方法、および、装置を提供することである。
【課題を解決するための手段】
【０００６】
本発明は、以下のような解決手段により、前記課題を解決する。すなわち、請求項１に記載の発明は、二次元コードに埋め込まれたテキストデータを含むメタデータと二次元コード画像識別情報を含んだ二次元コードデータを記録する二次元コードデータファイルと、二次元コード画像の座標データを含んだ割付データを記録する割付ファイルとを記憶する記憶手段と、二次元コード画像を撮像して、二次元コード画像データを生成する二次元コード画像撮像手段と、二次元コード画像データを復号して、二次元コードに埋め込まれたテキストデータを取得する二次元コード復号手段と、前記取得されたテキストデータを含めたメタデータを作成するメタデータ作成手段と、前記作成されたメタデータと二次元コード画像識別情報を含めた二次元コードデータを作成して記録する二次元コードデータ作成手段と、二次元コード画像データと二次元コード画像の割付座標データと二次元コード画像識別情報を含んだ割付データを作成する割付データ作成手段と、割付データから、二次元コード画像の座標データを、取得する割付情報取得手段と、二次元コードデータからメタデータを取得するメタデータ取得手段と、メタデータに座標データを設定して、メタデータ割付データを作成するメタデータ割付手段と、割付データとメタデータ割付データを合成して新たな割付データを作成する割付データ合成手段と、を備えることを特徴とする二次元コード校正装置である。
【０００７】
割付データに含まれる二次元コード画像は、二次元コード画像識別情報（二次元コード画像ＩＤ）を持つので、この二次元コード画像ＩＤをキーにして、二次元コードファイルの中から、前記キーと一致する二次元コード画像ＩＤに対応づけられた二次元コードデータを選択して、この選択した二次元コードデータのメタデータ（二次元コードに埋め込まれていたテキストデータ）を取得して、この取得したメタデータを二次元コード画像と重ねて、割り付け表示することで、二次元コードの校正が可能となる。
【０００８】
請求項２に記載の発明は、二次元コードデータは、ＸＭＬで記述されていることを特徴とする請求項１に記載の二次元コード校正装置である。
【０００９】
請求項３に記載の発明は、二次元コードに埋め込まれたテキストデータを含むメタデータと二次元コード画像識別情報を含んだ二次元コードデータを記録する二次元コードデータファイルと、二次元コード画像の座標データを含んだ割付データを記録する割付ファイルとを備えた二次元コード校正方法であって、二次元コード画像を撮像して、二次元コード画像データを生成する二次元コード画像撮像ステップと、二次元コード画像データを復号して、二次元コードに埋め込まれたテキストデータを取得する二次元コード復号ステップと、前記取得されたテキストデータを含めたメタデータを作成するメタデータ作成ステップと、二次元コード画像データと二次元コード画像の割付座標データと二次元コード画像識別情報を含んだ割付データを作成する割付データ作成ステップと、前記作成されたメタデータと二次元コード画像識別情報を含めた二次元コードデータを作成する二次元コードデータ作成ステップと、割付データから、二次元コード画像の座標データを、取得する割付情報取得ステップと、二次元コードデータからメタデータを取得するメタデータ取得ステップと、メタデータに座標データを設定して、メタデータ割付データを作成するメタデータ割付ステップと、割付データとメタデータ割付データを合成して新たな割付データを作成する割付データ合成ステップと、を含んだ手順でなされることを特徴とする二次元コード校正方法である。
【００１０】
請求項４に記載の発明は、二次元コードデータは、ＸＭＬで記述されていることを特徴とする請求項３に記載の二次元コード校正方法である。
【００１１】
請求項５に記載の発明は、コンピュータに組込むことによって、コンピュータを請求項１、または、請求項２に記載の二次元コード検査表作成装置として動作させるコンピュータプログラムである。
【００１２】
請求項６に記載の発明は、請求項５に記載のコンピュータプログラムを記録したコンピュータ読取り可能な記録媒体である。
【発明の効果】
【００１３】
本願発明によれば、二次元コード印刷物の校正において、二次元コードに埋め込まれていたテキストデータを二次元コード画像の上に合成させることで、二次元コードを復号させる手間を省き、作業量を削減することが出来きる。また、この二次元コードに埋め込まれていたテキストデータが二次元コード画像の上に合成されていることから、二次元コードの内容を容易に確認できて、校正作業の作業能率が向上する。
【発明を実施するための最良の形態】
【００１４】
以下、図面等を参照しながら、本発明の実施の形態について、更に詳しく説明する。図１は、本発明によるニ次元コード校正装置の構成図である。ニ次元コード校正装置１００は、二次元コード撮影手段１１５と、二次元コード復号手段１１０と、メタデータ作成手段１２０と、二次元コードデータ作成手段１３０と、割付情報取得手段１４０と、メタデータ取得手段１５０と、メタデータ割付手段１６０と、割付データ合成手段１７０と、割付データ作成手段１７５と、割付表示手段１８０と、記憶手段１９０と、を備える。記憶手段１９０は、二次元コードデータファイル１９１と、割付ファイル１９５を記憶する。
【００１５】
二次元コードデータファイル１９１は、二次元コードに埋め込まれた情報で構成されるメタデータと二次元コード画像データとを含んだ二次元コードデータを記録する。割付ファイル１９５は、二次元コード画像の座標データを含んだ割付データを記録する。
【００１６】
二次元コード撮影手段１１５は、二次元コード画像を読み取り、デジタル画像データにして、メモリに記憶する。二次元コード復号手段１１０は、メモリに記憶さらえた二次元コード画像を、復号して、二次元コードに埋め込まれた情報を取り出す。メタデータ作成手段１２０は、二次元コードに埋め込まれた情報を含むメタデータを作成する。二次元コードデータ作成手段１３０は、メタデータと二次元コード画像データを含んだ二次元コードデータを作成する。割付データ作成手段１７５は、二次元コード画像データと二次元コード画像の割付座標データと二次元コード画像識別情報を含んだ割付データを作成して、割付ファイル１９５に記録する。
【００１７】
割付情報取得手段１４０は、割付ファイル１９５の割付データから、二次元コード画像の座標データを、取得する。メタデータ取得手段１５０は、二次元コードデータファイル１９１の二次元コードデータからメタデータを取得する。メタデータ割付手段１６０は、メタデータに座標データを設定して、メタデータ割付データを作成する。割付データ合成手段１７０は、割付データとメタデータ割付データを合成して新たな割付データを作成する。割付表示手段１８０と、割付データを読込み、割り付けを表示する。
【００１８】
二次元コード復号手段１１０と、メタデータ作成手段１２０と、二次元コードデータ作成手段１３０と、割付情報取得手段１４０と、メタデータ取得手段１５０と、メタデータ割付手段１６０と、割付データ合成手段１７０と、割付データ作成手段１７５と、割付表示手段１８０とは、コンピュータプログラムである。二次元コード撮影手段１１５は、画像撮像装置である。記憶手段１９０は、不揮発メモリである。二次元コードデータファイル１９１と、割付ファイル１９５とは、コンピュータプログラムが可読なデジタルデータである。
【００１９】
図２は、二次元コードデータ２９１の構造図である。二次元コードデータファイル１９１に記録される二次元コードデータ２９１は、二次元コードＩＤ部２９１ａとメタデータ部２９１ｂと二次元コード画像部２９１ｃとから構成される。二次元コードＩＤ部２９１ａは、二次元コードデータ識別情報（二次元コードＩＤ）を記述する。メタデータ部２９１ｂは、二次元コードに埋め込まれたメタデータを記述する。二次元コード画像部２９１ｃは、二次元コード画像のビットマップ・データを記述する。
【００２０】
図３は、二次元コードデータ２９１の例である。二次元コードＩＤ部２９１ａは、“228436”である。メタデータ部２９１ｂは、“http://www.adc.com/phshp/1.0/アルバイト応募はこちら□WEB応募;短期バイト.COM□電話応募  登録受付センター;TEL:0120-810-319”である。二次元コード画像部２９１ｃは、二次元コード画像のビットマップ・データである。
【００２１】
図４は、割付データ２９５の構造図である。割付データ２９５は、二次元コード・オブジェクト部２９５ａテキストデータ・オブジェクト部２９５ｂや画像データ・オブジェクト部２９５ｃや図形データ・オブジェクト部２９５ｄを含んで構成される製版編集用データである。二次元コード・オブジェクト部２９５ａは、二次元コード画像のビットマップデータである。テキストデータ・オブジェクト部２９５ｂは、文字編集データである。画像データ・オブジェクト部２９５ｃは、写真のビットマップデータである。図形データ・オブジェクト部２９５ｄは、ベクトルデータである。二次元コード・オブジェクト部２９５ａは、“二次元コードＩＤ”２９５ｇ、“座標値” ２９５ｈ、“サイズ”、“ＸＭＬタグ情報”、などが記述されている。キストデータ・オブジェクト部２９５ｂは、“テキストＩＤ”、“文字サイズ”、“色”、“フォント”、“原稿ＩＤ”、“ＸＭＬタグ情報”、“テキストの内容”、などが記述されている。画像データ・オブジェクト部２９５ｃは、“画像ＩＤ”、“座標値”、“サイズ”、“原稿ＩＤ”、“ＸＭＬタグ情報”、“画像データ”などが記述されている。図形データ・オブジェクト部２９５ｄは、“図形ＩＤ”、“形状”、“色”、“座標値”、“サイズ”、“原稿ＩＤ”、“ＸＭＬタグ情報”などが記述されている。
【００２２】
図５は、割付データ２９５の例である。二次元コード・オブジェクトの一つは、“二次元コードＩＤ＝228436”、“座標値＝（121,300）”、“サイズ＝M”、“ＸＭＬタグ情報＝＜二次元コード＞ ＜／二次元コード＞” である。テキストデータ・オブジェクトの一つは、テキストＩＤ＝テキスト０２”、“文字割付＝12pt”、 “色＝（Ｋ＝100%）”、“スタイルフォント＝明朝”、“原稿ＩＤ＝Ｄ５８５４”、“ＸＭＬタグ情報＝＜商品名＞ ＜／商品名＞”、“テキストの内容＝りんご”である。
画像データ・オブジェクトの一つは、“画像ＩＤ＝画像０１”、“座標値＝（121,263）”、“サイズ＝（50,90）”、“原稿ＩＤ＝Ｄ５８５４”、“ＸＭＬタグ情報＝＜商品画像＞ ＜／商品画像＞”、“画像データ＝apple009 .eps”である。図形データ・オブジェクトの一つは、“図形ＩＤ＝図形０１”、“形状＝矩形”、“色＝（Ｙ＝20%、Ｍ=35%）”、“座標値＝（121,230）（171,250）”（矩形の左下座標と右上座標）、“サイズ＝（30,20）”、“原稿ＩＤ＝Ｄ５８５４”、“ＸＭＬタグ情報＝null”である。
【００２３】
図６は、二次元コードを割付した例である。割付データを、二次元コード校正装置３００の画面３００ａに表示させた例である。４つの二次元コード画像２９５ａが所定の位置に割付された状態を表示している。
【００２４】
図７は、割付した二次元コードにメタデータを合成表示させた例である。割付データにメタデータ割付データを合成させた新しい割付データを、二次元コード校正装置３００の画面３００ｂに表示させた例である。４つの二次元コード画像２９５ａの場所に、それぞれメタデータ２９１ｂが合成表示されている。
【００２５】
図８は、本発明による二次元コード校正装置のフローチャートである。
（１）メタデータを取得していない二次元コード画像があるか判定する。メタデータを取得していない二次元コード画像があれば、次のステップに進む。全ての二次元コード画像がメタデータを取得していれば、ステップ（４）に進む。（ステップＳ１０１）
（２）二次元コード撮影手段１１５は、二次元コード画像を読み取り、デジタル画像データにして、メモリに記憶する。二次元コード復号手段１１０は、メモリに記憶された二次元コード画像を、復号して、二次元コードに埋め込まれた情報を取り出す。（ステップＳ１１１）
（３）メタデータ作成手段１２０は、二次元コードに埋め込まれた情報で構成されるメタデータと二次元コード画像データとを含んだ二次元コードデータ２９１を作成して、二次元コードデータファイル１９１に、記録する。（ステップＳ１１２）
（４）ＤＴＰオペレータは、選択した二次元コード画像を割り付け指示して、割付データ作成手段１７５は、二次元コード画像データと二次元コード画像の割付座標データ２９５ｈと二次元コードＩＤ２９５ｇを含んだ割付データを作成して、割付ファイル１９５に記録する。割付データ２９５を作成する。二次元コード画像の二次元コードＩＤ２９５ｇと座標データ２９５ｈを含んだ割付データ２９５を割付ファイル１９５に、記録する。（ステップＳ１２１）
（５）ＤＴＰオペレータは、割り付けした二次元コード画像を校正するために、メタデータの表示を指示する。（ステップＳ１２２）
（６）メタデータの表示をしていない二次元コード画像があるか判定する。メタデータを重ねて表示していない二次元コード画像があれば、次のステップに進む。すべての二次元コード画像がメタデータを重ねて表示していれば、終了する。（ステップＳ１３１）
（７）割付情報取得手段１４０は、割付データ２９５の着目した二次元コードオブジェクト部２９５ａの画像の座標値２９５ｈを取得する。（ステップＳ１４１）
（８）メタデータ取得手段１５０は、着目した二次元コードオブジェクト部２９５ａの二次元コードＩＤ２９５ｇをキーにして、二次元コードデータファイル１９１を参照して、前記キーと一致する二次元コードデータ２９１の二次元コードＩＤ２９１ａを持つメタデータ１９１ｂを取得する。（ステップＳ１４２）
（９）メタデータ割付手段１６０は、取得された座標値２９５ｈと取得されたメタデータ１９１ｂから、メタデータ割付データを作成する。（ステップＳ１４３）
（１０）割付データ合成手段１７０は、作成されたメタデータ割付データと割付データを合成して新たな割付データを作成する。（ステップＳ１４４）
（１１）割付表示手段１８０は、割付データを読込み、割り付けを表示３００ｂする。ステップ（４）に戻る。（ステップＳ１４５）
【００２６】
なお、割付表示手段１８０は、割付データを読込み、割り付けを印刷しても、同様の効果が得られる。また、二次元コードデータ２９１は、二次元コード画像データ２９１ｃを含まなくても、同様の効果が得られる。
【００２７】
以上詳しく説明したように、本願発明によれば、二次元コード印刷物の校正において、二次元コードに埋め込まれていたテキストデータを二次元コード画像の上に合成させることで、二次元コードを復号させる手間を省き、作業量を削減することが出来きた。また、この二次元コードに埋め込まれていたテキストデータが二次元コード画像の上に合成されていることから、二次元コードの内容を容易に確認できて、校正作業の作業能率が向上した。
【図面の簡単な説明】
【００２８】
【図１】本発明によるニ次元コード校正装置の構成図。
【図２】二次元コードデータの構造図。
【図３】二次元コードデータの例。
【図４】割付データの構造図。
【図５】割付データの例。
【図６】二次元コードを割付した例
【図７】割付した二次元コードにメタデータを合成表示させた例
【図８】本発明による二次元コード校正装置のフローチャート
【符号の説明】
【００２９】
１００  ニ次元コード校正装置
１１０  二次元コード復号手段
１１５  二次元コード撮影手段
１２０  メタデータ作成手段
１３０  二次元コードデータ作成手段
１４０  割付情報取得手段
１５０  メタデータ取得手段
１６０  メタデータ割付手段
１７０  割付データ合成手段
１８０  割付表示手段
１９０  記憶手段
１９１  二次元コードデータファイル
１９５  割付ファイル
２９１  二次元コードデータ
２９１ａ  二次元コードＩＤ部
２９１ｂ  メタデータ部
２９１ｃ  二次元コード画像部
２９５  割付データ
２９５ａ  二次元コード・オブジェクト部
２９５ｂ  テキストデータ・オブジェクト部
２９５ｃ  画像データ・オブジェクト部
２９５ｄ  図形データ・オブジェクト部
２９５ｇ  二次元コードＩＤ
２９５ｈ  二次元コード画像座標データ
３００ａ  割付データを表示させた画面
３００ｂ  メタデータ割付データを合成表示させた画面
【図１】
2006350598.tif 000003
【図２】
2006350598.tif 000004
【図３】
2006350598.tif 000005
【図４】
2006350598.tif 000006
【図５】
2006350598.tif 000007
【図６】
2006350598.tif 000008
【図７】
2006350598.tif 000009
【図８】
2006350598.tif 000010